【手続補正書】
【提出日】平成21年12月14日(2009.12.14)
【手続補正１】
【補正対象書類名】特許請求の範囲
【補正対象項目名】請求項１
【補正方法】変更
【補正の内容】
【請求項１】
カップ用ポケットと、カップ用ポケットに挿入するカップとから構成され、
カップ用ポケットは、衣類の前見頃に接する表布と身体側に接する裏布とを、カップ挿入口とする部分を除いて縫合又は接着したものであって、カップ用ポケットの内側には所定の範囲内にカップを掛止させるためのポケット側掛止部材が取り付けてあり、
カップは、柔軟な材質で作成されたパッドであって、ポケット側掛止部材と掛止可能なカップ側掛止部材が取り付けてあり、
カップ用ポケットの周囲のすべてまたは一部を衣類に縫合又は接着することによって衣類に取り付けるようにしたカップ部材であって、
カップ側掛止部材のポケット側掛止部材への掛止位置をバストに合わせて所定の範囲内で調整できることを特徴とする、カップ付衣類に用いるためのカップ部材。
【手続補正２】
【補正対象書類名】明細書
【補正対象項目名】０００９
【補正方法】変更
【補正の内容】
【０００９】
本発明による、カップ付き衣類に用いるためのカップ部材は、カップ用ポケットと、カップ用ポケットに挿入するカップとから構成されている。カップ用ポケットは、衣類の前見頃に接する表布と身体側に接する裏布とを、カップ挿入口とする部分を除いて縫合又は接着したものであって、カップ用ポケットの内側には所定の範囲内にカップを掛止させるためのポケット側掛止部材が取り付けてある。カップは、柔軟な材質で作成されたパッドであって、ポケット側掛止部材と掛止可能なカップ側掛止部材が取り付けてある。このカップ部材は、カップ用ポケットの周囲のすべてまたは一部を衣類に縫合又は接着することによって衣類に取り付けるようにしたものであり、カップ側掛止部材のポケット側掛止部材への掛止位置をバストに合わせて所定の範囲内で調整できることを特徴とする。
【手続補正３】
【補正対象書類名】明細書
【補正対象項目名】００１６
【補正方法】変更
【補正の内容】
【００１６】
カップ用ポケット１の裏布１２は、直接身体に触れる部分となるので、肌ざわりの良い材質、例えば、綿、シルク、ポリエステル、レーヨンなどの材質が適している。一方、カップ用ポケットの表布１１は、衣類の内側でカップの膨らみを覆うものであり、衣類の表面がごろついたりもたついたりしないように、ある程度の伸縮性に富み薄い材質、たとえばガーゼや綿製ニット生地やナイロン、ポリエステルの生地が適しており、また、薄い色の衣類であってもカップ部材が表面に透けにくい色、たとえば肌色の材質が適している。
【手続補正４】
【補正対象書類名】明細書
【補正対象項目名】００２５
【補正方法】変更
【補正の内容】
【００２５】
次に、カップ部材をどのように衣類３に取り付けるかについて説明する。カップ用ポケット１の左辺（身体の中心側）１ｂ部分は、衣類３の前立て３２と一緒に縫合されている。表布１１の上辺１ａは、衣類３の切り替え３１に沿って一緒に縫合されている。表布１１の右辺１ｄは衣類３の前見頃３４と後ろ見頃３５と袖３６の縫合部分に沿って縫合されている。
【手続補正５】
【補正対象書類名】明細書
【補正対象項目名】００２６
【補正方法】変更
【補正の内容】
【００２６】
このように、カップ用ポケット１は、３つの辺が、衣類３の切り替え３１、前立て３２、前見頃３４と後ろ見頃３５と袖３６の縫合部分、に縫合されているために、カップ部材そのものが衣類３にしっかり取り付けられ、着用時にもその位置が不安定になったりずれたりすることがない。また、このように衣類３の切り替え部分あるいは縫合部分を利用して取り付けるので、表から衣類３を見た場合に、カップ部材１のラインが衣類表面に浮き出たりすることがなく、見た目がすっきりしている。また、カップ部材の下辺１ｃは、衣類３とは縫合されず、カップ部材が身体を締め付けることがない。
【手続補正６】
【補正対象書類名】明細書
【補正対象項目名】００２８
【補正方法】変更
【補正の内容】
【００２８】
図５に示すように、衣類４は、前立て４２を設けた前開きで袖４６がついたパジャマや部屋着あるいはアウターウェアであり、前見頃４４のバストより低い位置に切り替え４１が設けられているのが特徴である。そして、実施例２によるカップ部材は、この切り替え４１を利用して衣類４の裏側に取り付けられる。図５では、カップ部材の取り付け位置を示すために、カップ用ポケット５とカップ用ポケット５に挿入されたカップ２のみが点線で示されている。なお、細かい水玉模様は、衣類４の裏側であることを示している。
【手続補正７】
【補正対象書類名】明細書
【補正対象項目名】００３０
【補正方法】変更
【補正の内容】
【００３０】
次に、実施例２によるカップ部材をどのように衣類４に取り付けるかについて説明する。カップ用ポケット５の左辺５ｂ部分は、衣類４の前立て４２と一緒に縫合されている。表布５１の上辺５ａは、衣類４の前見頃４４の上端と縫合されている。カップ用ポケット５の下辺５ｃは切り替え４１に沿って一緒に縫合されている。表布５１及び裏布の右辺５ｄは袖ぐりのカープの途中までは前見頃と袖との縫合部分に縫合されている。
【手続補正８】
【補正対象書類名】明細書
【補正対象項目名】００３１
【補正方法】変更
【補正の内容】
【００３１】
このように、カップ用ポケット５は、下辺５ｃが切り替え４１、左辺５ｂが前立て４２、上辺５ａが前見頃４４の上端部分、右辺の一部が前見頃４４と袖４６の縫合部分、に縫合されているために、カップ部材そのものが衣類４にしっかり取り付けられ、着用時にもその位置が不安定になったりずれたりすることがない。また、このように衣類４の切り替え部分あるいは縫合部分を利用して取り付けるので、表から衣類４を見た場合に、カップ部材のラインが衣類表面に浮き出たりすることがなく、見た目がすっきりしている。
【手続補正９】
【補正対象書類名】明細書
【補正対象項目名】００３９
【補正方法】変更
【補正の内容】
【００３９】
図９は、図８で示した衣類８の左の前見頃８４上部の裏側を示している。ここに取り付けられているカップ用ポケット９は、前見頃８４のバスト下より上部の形状と同一の形状の表布９１と、縦がカップ２の上下に１０〜６０ｍｍ程度の余裕を持たせた長さであり、左右はカップ２の左右に２０〜８０ｍｍ程度の余裕を持たせた幅を有する略矩形状の裏布９２とを、左辺９ｂ（衣類の中心方向の辺）と下辺９ｃ同士を重ねるようにして縫合したものであり、裏布９２の上辺９ａ及び右辺９ｄの一部を縫合し残すことにより、カップ２の挿入口９６および位置調整口９５を設けている。図９中、２点鎖線は、表布９１と裏布９２との縫合部を表している。カップ用ポケット９の内側には、裏布９２の中心から上部にかけての部分に横１０〜５０ｍｍ縦１０〜５０ｍｍ程度の面ファスナー９３が取り付けられている。カップ２の凹側上部には、面ファスナー２１が取り付けられている。
【手続補正１０】
【補正対象書類名】図面
【補正対象項目名】全図
【補正方法】変更
【補正の内容】
【図１】
2010013774.tif 000001
【図２】
2010013774.tif 000002
【図３】
2010013774.tif 000003
【図４】
2010013774.tif 000004
【図５】
2010013774.tif 000005
【図６】
2010013774.tif 000006
【図７】
2010013774.tif 000007
【図８】
2010013774.tif 000008
【図９】
2010013774.tif 000009